(57)【要約】【課題】視聴者の視認性を高める一方で、プレゼンテータ等の操作者による操作性をさらに向上する。【解決手段】表示制御装置は、対象データ３２を画像操作部３４で読み出し、メモリ１２に展開して標準出力し、表示画面３０ａには、対象データ３２に基づく画像Ｉｍが表示される。ユーザは、表示画面３０ａ内で複数の表示領域Ｆ１，Ｆ２を指定し、いずれかを選択したり、選択を切り替えたりすることができる。ユーザが選択した表示領域Ｆ１，Ｆ２に含まれる部分画像は、表示領域操作部４０によって適切な表示倍率ｙでメモリ１２に展開され、外部出力される。これにより、プロジェクタ等の外部表示画面４４には選択した表示領域Ｆ１の部分画像Ｉｍｐ１が拡大して表示され、ユーザが選択を表示領域Ｆ２に切り替えると、プロジェクタでも切り替え後の表示領域Ｆ２に含まれる部分画像に表示が切り替わる。【選択図】図３
2010123067.tif 000002
【特許請求の範囲】
【請求項１】
所定の表示用データに基づいて表示画面上に画像を表示する画像表示手段と、
前記表示画面上に表示された画像全体の中で部分的に区画された複数の表示領域を指定する表示領域指定手段と、
前記表示領域指定手段により指定された複数の前記表示領域の中から少なくともいずれか１つの前記表示領域を選択する表示領域選択手段と、
前記表示領域選択手段により選択された前記表示領域に含まれる部分画像を前記表示画面とは別の外部表示装置に向けて出力することにより、前記外部表示装置にて前記部分画像を表示可能とする外部出力手段と
を備えた表示制御装置。
【請求項２】
請求項１に記載の表示制御装置において、
前記外部出力手段により出力される前記部分画像に関し、前記外部表示装置による表示倍率を個別に設定する倍率設定手段をさらに備えた表示制御装置。
【請求項３】
請求項１又は２に記載の表示装置において、
前記表示領域選択手段は、
複数の前記表示領域を合わせて選択可能であり、
前記外部出力手段は、
前記表示領域選択手段により選択された複数の前記表示領域のそれぞれに含まれる複数の前記部分画像を合成した合成画像を前記外部表示装置に向けて出力することにより、前記外部表示装置にて前記合成画像を表示可能とすることを特徴とする表示制御装置。
【請求項４】
少なくとも表示画面及び外部出力端子を有したコンピュータに、
所定の表示用データに基づいて表示画面上に画像を表示する手順と、
前記表示画面上に表示された画像全体の中で部分的に区画された複数の表示領域を指定する手順と、
前記指定された複数の前記表示領域の中から少なくともいずれか１つの前記表示領域を選択する手順と、
前記選択された前記表示領域に含まれる部分画像を前記表示画面とは別の外部表示装置に向けて前記外部出力端子から出力することにより、前記外部表示装置にて前記部分画像を表示可能とする手順と
を実行させる表示制御プログラム。
【発明の詳細な説明】
【技術分野】
【０００１】
本発明は、表示用データをパーソナルコンピュータ等の表示画面に表示させつつ、画面の一部を外部表示装置でも表示可能とするための表示制御装置及び表示制御プログラムに関する。
【背景技術】
【０００２】
この種の表示制御装置に関して、パーソナルコンピュータ（以下、「パソコン」と略称する。）等の表示画面に表示されたデータを外部の表示画面に所定の倍率で拡大して表示する先行技術が知られている（例えば、特許文献１参照。）。この先行技術は、例えばプレゼンテーションの場面で、プレゼンテータが手元のパソコンの画面に自己の用意した資料を表示させながら、その一部を拡大して外部のプロジェクタにより表示可能とするものである。
【０００３】
上記の先行技術によれば、プレゼンテータにとってはパソコンの画面上で資料の全体像を確認できるため、それまでの快適な操作性や説明の利便性を維持することができる一方、視聴者にとっては、プレゼンテーションの説明に関係する部分だけがスクリーン上に拡大して表示されるので、それだけ視認性が向上し、プレゼンテーションへの注意力や理解が高まるという効果が得られる。
【特許文献１】特開２００７−１７８４９５号公報
【発明の開示】
【発明が解決しようとする課題】
【０００４】
上述した先行技術は、プレゼンテータの操作性と視聴者の視認性を同時に向上できるという点で優れており、依然としてその技術的価値は高いものである。
【０００５】
その上で本発明の発明者は、例えばプレゼンテータが説明の順序に応じて、画面内の複数の範囲を切り替えながら視聴者に見せたい場合、その都度、パソコンの画面上で外部出力する範囲を指定しなおさなければならない点に注目し、さらなる操作性の改良を検討するに至ったものである。
【０００６】
そこで本発明は、視聴者の視認性を高める一方で、プレゼンテータ等の操作者による操作性をさらに向上することができる技術の提供を課題とする。
【課題を解決するための手段】
【０００７】
本発明の表示制御装置は、所定の表示用データに基づいて表示画面上に画像を表示する画像表示手段と、表示画面上に表示された画像全体の中で部分的に区画された複数の表示領域を指定する表示領域指定手段と、表示領域指定手段により指定された複数の表示領域の中から少なくともいずれか１つの表示領域を選択する表示領域選択手段と、表示領域選択手段により選択された表示領域に含まれる部分画像を表示画面とは別の外部表示装置に向けて出力することにより、外部表示装置にて部分画像を表示可能とする外部出力手段とを備えている。
【０００８】
本発明の表示制御装置によれば、例えばプレゼンテータ等の操作者が用意した資料の画像を表示画面上に表示させつつ、その中で予め複数の表示領域を指定しておき、その都度選択（切替選択）されたいずれかの表示領域に含まれる部分画像を外部出力することができる。
【０００９】
このため、例えば上記のように操作者が説明の流れに沿って表示画面内の複数箇所を切り替えながら外部出力させたい場合、予め操作者が複数の表示領域を指定しておけば、その都度、操作者は必要に応じて視聴者に見せたい表示領域を選択するだけで、外部表示装置（プロジェクタ等）による表示内容を容易に切り替えることができる。このため、外部出力時の表示内容を切り替えるたびに表示領域を指定し直す手間が不要となり、それだけ作業性を向上することができる。
【００１０】
また本発明の表示制御装置は、外部出力手段により出力される部分画像に関し、外部表示装置による表示倍率を個別に設定する倍率設定手段をさらに備えていてもよい。
【００１１】
このような構成であれば、例えば表示画面上で複数の表示領域の大きさがそれぞれ異なる場合であっても、その都度、選択された表示領域に合わせて表示倍率を適切に設定することができる。これにより、外部出力する表示領域が切り替わる度に画像のサイズがばらつくのを防止し、視聴者による快適な視認性を維持することができる。
【００１２】
また上記の表示領域選択手段は、複数の表示領域を合わせて（同時に）選択可能であってもよい。この場合、外部出力手段は、表示領域選択手段により選択された複数の表示領域のそれぞれに含まれる複数の部分画像を合成した合成画像を外部表示装置に向けて出力することにより、外部表示装置にて合成画像を表示可能とするものであってもよい。
【００１３】
このような構成であれば、視聴者に対して複数の表示領域に対応する部分画像を同時に視認させることができるので、それだけ視認性を向上することができる。
【００１４】
また、このとき倍率設定手段は、合成画像に含まれる複数の部分画像について、それぞれの表示倍率を個別に設定することができることが好ましい。これにより、例えば合成画像の中でより大きく見せたい部分画像の表示倍率をその他の部分画像の表示倍率より大きく設定することで、視聴者に対する視覚的な訴求力を向上し、その視認性を向上することができる。
【００１５】
また本発明は、少なくとも表示画面及び外部出力端子を有したコンピュータに以下の手順を実行させるプログラムを提供する。すなわち本発明の表示制御プログラムは、上記のコンピュータに所定の表示用データに基づいて表示画面上に画像を表示する手順と、表示画面上に表示された画像全体の中で部分的に区画された複数の表示領域を指定する手順と、指定された複数の表示領域の中から少なくともいずれか１つの表示領域を選択する手順と、選択された表示領域に含まれる部分画像を表示画面とは別の外部表示装置に向けて外部出力端子から出力することにより、外部表示装置にて部分画像を表示可能とする手順とを実行させるものである。
【００１６】
本発明の表示制御プログラムは、これをノートパソコン等にインストールして実行することにより、パソコンの表示画面に操作者が予め用意した資料の画像を表示させつつ、その表示画面上で複数の表示領域を指定し、その上で選択された表示領域に対応する部分画像を外部出力端子から出力し、これを外部表示装置により表示可能とすることができる。これにより、視聴者による視認性を高く維持しつつ、操作者による操作性をさらに向上することができる。
【発明の効果】
【００１７】
以上のように本発明の表示制御装置及び表示制御プログラムによれば、プレゼンテータ等の操作者による操作性をさらに向上することができる。また視聴者にとっては、操作者の操作に応じて適切な表示内容にすぐさま接することができるため、快適な視認性を売ることができる。
【発明を実施するための最良の形態】
【００１８】
以下、本発明の実施形態について図面を参照しながら説明する。
【００１９】
図１は、一実施形態として表示制御装置を実現するために必要なハードウェア構成を概略的に示すブロック図である。本実施形態では、ノート型パソコンのハードウェアリソースを用いて表示制御装置を構成している。以下、具体的に説明する。
【００２０】
〔表示制御装置の構成〕
ノート型パソコンは、例えばプロセッサとしてのＣＰＵ１０をはじめ、ＲＯＭ、ＲＡＭ等の記憶デバイスであるメモリ１２を備える他、ユーザインタフェース回路１４、ＧＵＩ（グラフィカルユーザインタフェース）回路１６、外部インタフェース回路１８等を備えている。
【００２１】
このうちユーザインタフェース回路１４は、例えばパソコン本体に付属のキーボード２０を通じてユーザ（操作者）の入力操作を受け付ける。またＧＵＩ回路１６は、例えばパソコン本体に付属のポインティングデバイス２２を通じてユーザの入力操作を受け付ける。なおポインティングデバイス２２は、例えばタッチパッドやスティック、マウス等である。
【００２２】
外部インタフェース回路１８は、一般的な通信規格に準拠して外部入出力を行うものであり、この例では図示しない外部出力端子を通じて外部表示装置であるプロジェクタ２４に画像信号を出力する。
【００２３】
またノート型パソコンには、大容量記憶装置であるハードディスクドライブ２６が内蔵されており、ハードディスクドライブ２６には、ＣＰＵ１０が実行する基本プログラム（ＯＳ）をはじめ各種のアプリケーションプログラムが格納されている他、各種の文書ファイル等も格納されている。
【００２４】
さらにノート型パソコンには、ＬＣＤドライバ２８が内蔵されており、このＬＣＤドライバ２８は、本体に付属の表示器３０（例えば液晶ディスプレイ）を駆動するものである。ＬＣＤドライバ２８は、ＣＰＵ１０から表示するべき画像データと制御情報を与えられると、それ以降の表示処理を実行する。このためＬＣＤドライバ２８は、図示しないグラフィックメモリや制御レジスタ、タイミングジェネレータ等を内蔵する他、表示器３０の電源回路等も内蔵する。
【００２５】
〔表示画面の例〕
図２は、表示器３０の表示画面３０ａに表示される画像の一例を示す図である。表示画面３０ａには、例えば操作者が予め用意した資料（表示用データ）に基づき、プレゼンテーション用の画像Ｉｍを所定の表示倍率（例えば１００％とする）で表示することができる。なお、このような画像Ｉｍは、資料のデータ形式（例えば”．ｄｏｃ”，”．ｘｌｓ”，”．ｐｐｔ”等）に対応したアプリケーションプログラムをＣＰＵ１０が実行することにより、上記のＬＣＤドライバ２８を通じて表示器３０にて表示可能となる。
【００２６】
加えて本実施形態では、特に以下の表示制御プログラムをＣＰＵ１０が実行することにより、表示画面３０ａの一部に区画された表示領域を複数箇所で指定し、その中から選択された表示領域に対応する部分画像を外部インタフェース回路１８から出力させることができる。
【００２７】
〔表示領域の指定〕
表示制御プログラムは、例えばハードディスクドライブ２６にインストールしておくことができる。この表示制御プログラムは、上記のように資料の画像Ｉｍの表示と並行して、ユーザの操作に基づく表示領域の指定を受け付ける手順をＣＰＵ１０に実行させる。
【００２８】
例えば、ＣＰＵ１０は上記のポインティングデバイス２２を用いたユーザの入力操作をＧＵＩ回路１６にて受け付けると、この入力操作に基づいて表示画面３０ａ内に複数の表示領域Ｆ１，Ｆ２を指定する。このときユーザは、例えば表示画面３０ａ内に表示されるポインタＰを目安として、任意の位置でクリック及びドラッグ操作を行い、表示画面３０ａ内である程度の大きさを有した表示領域Ｆ１，Ｆ２を容易に指定することができる。なお、ここでは２つの表示領域Ｆ１，Ｆ２だけを例示しているが、３つ以上の表示領域を指定することもできる。
【００２９】
〔表示領域の選択〕
表示領域Ｆ１，Ｆ２を指定すると、ＣＰＵ１０は各表示領域Ｆ１，Ｆ２に関する情報（例えば始点及び終点の座標）とともに、各表示領域Ｆ１，Ｆ２内に含まれる部分画像Ｉｍｐ１，Ｉｍｐ２をメモリ１２にバッファする。そしてＣＰＵ１０は表示制御プログラムの手順に従い、例えば直近（最後）に指定された表示領域Ｆ１を現時点で選択されているもの（アクティブ）と認識する。
【００３０】
このときＣＰＵ１０は、例えば現時点で表示領域Ｆ１が選択されていることを視覚的に強調するため、表示領域Ｆ２の枠線の表示色（例えば無彩色）よりも表示領域Ｆ１の枠線の表示色を強調（例えば有彩色で表示）して表示する。なおユーザは、表示画面３０ａ内でポインタＰを別の表示領域Ｆ２内に移動させることで（又はクリック操作を加えることで）、表示領域Ｆ１から表示領域Ｆ２へ選択を切り替える操作を行うこともできる。
【００３１】
〔表示制御装置の構成〕
図３は、表示制御プログラムの実行に伴い、ノート型パソコンのハードウェアリソースを用いて構成される表示制御装置の機能的要素とそれらの関係を概略的に示したブロック図である。
【００３２】
表示制御プログラムの実行に伴い、ＣＰＵ１０は例えばハードディスクドライブ２６に保存されている資料（表示用データ）を対象データ３２として取り扱う。対象データ３２は、画像操作部３４によって読み出され、上記のメモリ１２に画像データ（ラスタライズデータ）として展開される。なお、ここでいう画像操作部３４は、ＣＰＵ１０（ＬＣＤドライバ２８）のリソースを用いて構成される機能的要素である。
【００３３】
メモリ１２に展開された画像データは、ノート型パソコン内の標準出力としてＬＣＤドライバ２８に転送される。これにより、上記（図２）のように表示器３０の表示画面３０ａに対象データ３２に基づく画像Ｉｍが表示されることになる。
【００３４】
一方、表示画面３０ａ上では、上記のようにユーザの入力操作に基づいて表示領域Ｆ１，Ｆ２の指定が行われる他、上記のように選択の切り替え操作も行われる。この切り替え操作を受け付ける機能的要素は、本実施形態の表示制御装置において例えば表示領域選択部３６として構成されている。
【００３５】
この他に表示制御装置は、外部出力部３８としての機能的要素を有している。外部出力部３８には、さらに表示領域操作部４０及び画像合成部４２が含まれている。このうち表示領域操作部４０は、現時点で選択されているいずれかの表示領域Ｆ１，Ｆ２に対応する部分画像Ｉｍｐ１，Ｉｍｐ２を画像操作部３４から受け取り、これをメモリ１２のバッファ領域に展開する。
【００３６】
〔表示倍率の設定〕
このとき表示領域操作部４０は、部分画像Ｉｍｐ１，Ｉｍｐ２ごとに別の表示倍率ｙを合わせて設定する。なお表示倍率ｙは、例えば表示画面３０ａ内での表示倍率ｘ（例えば１００％）を基準として、これに対する表示領域Ｆ１，Ｆ２の大きさの割合（縦又は横）に応じて設定することができる。なお、このような機能的要素は、ノート型パソコン内においてＣＰＵ１０のリソースを用いて実現することができる。
【００３７】
メモリ１２のバッファ領域に展開されたいずれかの部分画像Ｉｍｐ１，Ｉｍｐ２は、図示しない外部出力端子を通じて上記のプロジェクタ２４（外部表示装置）に出力される。このような機能的要素は、ＣＰＵ１０及び外部インタフェース回路１８を用いて実現することができる。
【００３８】
この結果、プロジェクタ２４による外部の表示画面４４（例えばスクリーン）には、表示倍率ｙ（＞１００％）で表示領域Ｆ１に対応する部分画像Ｉｍｐ１が表示されることになる。
【００３９】
〔第１表示例〕
図４は、上記のように表示制御装置において表示領域Ｆ１を選択し、プロジェクタ２４に外部出力した場合を第１表示例として表す概念図である。
【００４０】
図４中（Ａ）：上記のように、ノート型パソコンを用いて実現された表示制御装置（参照符号５０を付す）は、その表示画面３０ａ上に対象データ３２に基づく画像Ｉｍを表示している。このとき、表示画面３０ａ内でユーザが複数（ここでは２つ）の表示領域Ｆ１，Ｆ２を指定し、このうち表示領域Ｆ１を選択していた場合、表示画面３０ａ内では表示領域Ｆ１の枠線が強調して表示されている。
【００４１】
図４中（Ｂ）：図示しないケーブル（例えばシリアル通信ケーブル）を介して表示制御装置５０と接続されたプロジェクタ２４には、表示領域Ｆ１に含まれる部分画像Ｉｍｐ１が外部出力される。これにより、プロジェクタ２４の外部表示画面４４（スクリーン）には、選択された表示領域Ｆ１に含まれる部分画像Ｉｍｐ１が表示倍率ｙで表示されることになる。
【００４２】
〔第２表示例〕
次に図５は、表示制御装置５０において表示領域Ｆ１から表示領域Ｆ２に選択を切り替え、プロジェクタ２４に外部出力した場合を第２表示例として表す概念図である。
【００４３】
図５中（Ａ）：ここでも同様に、表示制御装置５０は、その表示画面３０ａ上に対象データ３２に基づく画像Ｉｍを表示している。このとき、表示画面３０ａ内でユーザが表示領域Ｆ２を改めて指定（選択を切り替え）する操作を行った場合、表示画面３０ａ内では表示領域Ｆ２の枠線が強調して表示され、それまで強調表示されていた表示領域Ｆ１の枠線はトーンダウンして表示される。
【００４４】
図５中（Ｂ）：表示制御装置５０による選択の切り替えと連動して、プロジェクタ２４には表示領域Ｆ２に含まれる部分画像Ｉｍｐ２が外部出力される。これにより、プロジェクタ２４の外部表示画面４４（スクリーン）には、改めて選択された表示領域Ｆ２に含まれる部分画像Ｉｍｐ２が別の表示倍率ｙで表示されることになる。
【００４５】
〔第３表示例〕
図６は、表示制御装置５０において複数の表示領域Ｆ１，Ｆ２を同時に選択し、プロジェクタ２４に外部出力した場合を第３表示例として表す概念図である。例えば、ユーザが特定の選択操作（シフトキーを押下しながら各表示領域Ｆ１，Ｆ２内をクリックする等）を行うと、表示制御装置５０において複数の表示領域Ｆ１，Ｆ２を同時に選択することができ、そのための手順が表示制御プログラムには含まれている。
【００４６】
図６中（Ａ）：この場合も同様に、表示制御装置５０は、その表示画面３０ａ上に対象データ３２に基づく画像Ｉｍを表示している。このとき、表示画面３０ａ内でユーザが２つの表示領域Ｆ１，Ｆ２を同時に選択した場合、表示画面３０ａ内では表示領域Ｆ１，Ｆ２の枠線がいずれも強調して表示された状態となる。
【００４７】
図６中（Ｂ）：この場合、プロジェクタ２４には、２つの表示領域Ｆ１，Ｆ２にそれぞれ含まれる２つの部分画像Ｉｍｐ１，Ｉｍｐ２を合成した状態で外部出力される。
【００４８】
この場合の表示制御プログラムによる処理の手順は以下の通りとなる。
すなわち、表示制御装置５０において表示領域操作部４０は、それぞれの部分画像Ｉｍｐ１，Ｉｍｐ２を取得し、これらを画像合成部４２に提供する。
【００４９】
画像合成部４２は、各部分画像Ｉｍｐ１，Ｉｍｐ２について個別に適切な表示倍率ｙ１，ｙ２を設定する。そして画像合成部４２は、２つの部分画像Ｉｍｐ１，Ｉｍｐ２を１つの画像に合成した状態で表示領域操作部４０に返す。
【００５０】
表示領域操作部４０は、受け取った合成画像をメモリ１２のバッファ領域に展開する。
【００５１】
これにより、プロジェクタ２４の外部表示画面４４（スクリーン）には、同時に選択された２つの表示領域Ｆ１，Ｆ２に含まれる２つの部分画像Ｉｍｐ１，Ｉｍｐ２が合成された１つの画像となり、それぞれ適切な表示倍率ｙ１，ｙ２で表示されることになる。
【００５２】
なお第３表示例においては、３つ以上の表示領域を同時に選択することもできる。この場合、合成画像には３つの部分画像がそれぞれの表示倍率で適切にレイアウトされた状態で外部出力される。また、このとき表示領域ごとに個別の表示倍率も指定することができ、例えばユーザは、メイン画面に指定した表示領域の部分画像を合成画像の中で最も大きく表示し、その他の部分画像をサブ画面として小さく表示するといった多彩な使い方ができる。
【００５３】
本発明は上述した実施形態に制約されることなく、種々に変形して実施可能である。例えば、表示制御装置はノート型パソコンだけでなく、デスクトップ型のパソコンを用いて実現してもよいし、専用のコンピュータ端末を用いて実現してもよい。
【図面の簡単な説明】
【００５４】
【図１】表示制御装置を実現するために必要なハードウェア構成を概略的に示すブロック図である。
【図２】ノート型パソコンの表示画面に表示される画像の一例を示す図である。
【図３】表示制御装置の機能的要素とそれらの関係を概略的に示したブロック図である。
【図４】表示制御装置において１つの表示領域を選択し、プロジェクタに外部出力した場合を第１表示例として表す概念図である。
【図５】表示制御装置において表示領域の選択を切り替え、プロジェクタに外部出力した場合を第２表示例として表す概念図である。
【図６】表示制御装置において複数の表示領域を同時に選択し、プロジェクタに外部出力した場合を第３表示例として表す概念図である。
【符号の説明】
【００５５】
１０    ＣＰＵ
１２    メモリ
１４    ユーザインタフェース回路
１６    ＧＵＩ回路
１８    外部インタフェース回路
２０    キーボード
２２    ポインティングデバイス
２４    プロジェクタ
２６    ハードディスクドライブ
２８    ＬＣＤドライバ
３０    表示器
３０ａ  表示画面
３２    対象データ
３４    画像操作部
３６    表示領域選択部
３８    外部出力部
４０    表示領域操作部
４２    画像合成部
４４    外部表示画面
【図１】
2010123067.tif 000003
【図２】
2010123067.tif 000004
【図３】
2010123067.tif 000005
【図４】
2010123067.tif 000006
【図５】
2010123067.tif 000007
【図６】
2010123067.tif 000008